(57)【要約】【課題】  着物を着付ける前に帯の結び部を形成できるとともに、補助者の手を借りることなく帯を装着することができる帯結び用補助ベルトを提供すること。【解決手段】  着物の胴部に巻き付け可能な長さを有する全体形状が略細巾帯形の紐体と、該紐体の両端に設けられた係止手段と、該紐体の長手方向中央近傍に設けられた帯を保持する保持部より構成されている。これにより、着物を着付ける前に、帯を折りたたんで保持部に固定し、ひだや羽根を折って、太鼓結びやふくら雀、文庫結びなどの帯結びをすることが無くなるので楽に帯結びができる。【選択図】          図１
2006214049.tif 000002
【特許請求の範囲】
【請求項１】
着物の胴部に巻き付け可能な長さを有する全体形状が略細巾帯形の紐体と、該紐体の両端に設けられた係止手段と、該紐体の長手方向中央近傍に設けられた帯を保持する保持部より構成されていることを特徴とする帯結び用補助ベルト。
【請求項２】
前記保持部には、帯を保持する複数の保持片が重ねられて設けられていることを特徴とする請求項１記載の帯結び用補助ベルト。
【請求項３】
前記保持部の上縁部に帯を折り畳んで形成した羽根等を係止する係止手段が設けられていることを特徴とする請求項１〜２いずれかに記載の帯結び用補助ベルト。
【請求項４】
前記保持部には、長手方向に折り畳んだ帯を挿入する開口部が設けられていることを特徴とする請求項１〜３いずれかに記載の帯結び用補助ベルト。
【発明の詳細な説明】
【技術分野】
【０００１】
本発明は、多様な帯結びを容易に行なうことができるとともに、結び方の基本を覚えれば、アイデア次第で自分なりの帯結びをすることができる帯結び用補助ベルトに関するものである。
【背景技術】
【０００２】
従来、着物に帯を装着する方法としては、文化帯のように既に完成された帯結びを胴帯に固定する方法、胴部に帯を巻き付けて背中で帯を結ぶ方法、或いは、胴部の前で帯を結んだ後に帯全体を背面に回す方法等が知られている。しかしながら、胴部に帯を巻き付けて背中で帯を結ぶ方法、および胴部の前で帯を結んだ後に帯全体を背面に回す方法により帯結びを行なうためには熟練度を必要とするため、初心者が帯結びを行なうことは非常に困難であった。そこで、初心者でも簡単に帯結びができる補助具が考案されている。
【０００３】
胴部に帯を巻き付けて背中で帯を結ぶ際の補助具としては、例えば、着物の胴部の前面側に配置させる前板部と、前記前板部の両端部に連結された伸縮自在な弾性部と、前記弾性部に配設され両端部が脱着自在に連結された後板部と、前記後板部に配設され帯を固定させる１乃至複数の伸縮自在な固定部とを備えたことを特徴とする着付け用具が開示されている（例えば、特許文献１参照。）。
【０００４】
また、胴部の前で帯を結んだ後に帯全体を背面に回す方法に用いる補助具としては、例えば、全体形状が結び目を形成した着物用帯の上から巻付けて結ぶことが可能な長さを有する略細巾帯形に形成され、細巾帯形の中央の略体巾相当部分には伸縮性を有する材質で形成され着物用帯のたれ下を保持する保持片を３重に重ね合わせた保持部を設け、保持部の中央には伸縮性を有する材質で形成され保持部に直交するように外側の保持片に固着され内側の保持片に着脱可能な着物用帯の結び目を支持する支持片を設け、保持部の両端には非伸縮性を有する材質で形成された細紐形の結び部を設けてなる着物用帯の帯結び補助具が開示されている（例えば、特許文献２参照。）。
【０００５】
【特許文献１】特開２００２−２６６１４０号公報
【特許文献２】実開平５−１０４２０号公報
【発明の開示】
【発明が解決しようとする課題】
【０００６】
しかしながら、前記特許文献１に開示された着付け用具は、前板（帯板）と２本以上の伊達締めを兼ねているので、前板や２本以上の伊達締めを別途身体に固定する手間が省け、着物を着る際の労力を著しく軽減でき、結帯時間を大幅に短縮できるとされているが、背面で帯結びをすることは、初心者にとって多大な労力と困難を要するものであるという問題があった。
【０００７】
一方、特許文献２に開示された着物用帯の帯結び補助具では、胴にきつく巻き付けられた帯全体を身体の背面に回す際に、相当の力を必要とするだけでなく、帯が弛緩する虞があるという問題があった。
【０００８】
なお、従来使用されている文化帯は、太鼓部が既に完成しているため、着物に装着することは比較的簡単である反面、着物に合わせたコーディネートに乏しく、持ち運びや収納時に嵩張るという問題があった。
【課題を解決するための手段】
【０００９】
本発明は、前記課題を解決するためになされたもので、着物を着付ける前に帯の結び部を形成できるとともに、補助者の手を借りることなく帯を装着することができる帯結び用補助ベルトを提供することを目的としている。
【００１０】
前記課題を解決するために、請求項１では、着物の胴部に巻き付け可能な長さを有する全体形状が略細巾帯形の紐体と、該紐体の両端に設けられた係止手段と、該紐体の長手方向中央近傍に設けられた帯を保持する保持部より構成されている。これにより、着物を着付ける前に、あらかじめ帯を折りたたんで保持部に固定しているので、ひだや羽根を折って、太鼓結びやふくら雀、文庫結びなどの帯結びをすることが無くなり楽に帯結びができる。なお、保持部に弾性を有する心材を内包することで、帯結びを背中にあてがうときの土台となると共に、腰板の代わりにもなるので帯のしわ発生を防止することができる。
【００１１】
請求項２では、前記保持部に、帯を保持する保持片が重ねて設けられている。これにより、帯のたれ先で折った扇や箱ひだなどを保持片で保持することができ、羽根部分にあたる帯を保持片で保持することで、帯が帯結び用補助ベルトに固定される。
【００１２】
請求項３では、前記保持部の上縁部に帯を折りたたんで形成した羽根を係止する係止手段が設けられている。これにより、羽根等が広がらないようにゴム等で結び、そのゴムを係止して、羽根等がぐらつかないように固定することができる。
【００１３】
請求項４では、前記保持部には、長手方向に折り畳んだ帯を挿入する開口部が設けられている。これにより、帯結びをするときに手先を押さえておく必要がなくなるので、両手を使って帯を締めながら、且つ帯を整えながら胴に巻き付けることができるので、帯の緩みがなくなる。
【発明の効果】
【００１４】
本発明の帯結び用補助ベルトを用いれば、着物を着付ける前に帯結びを形成することができるのでお太鼓、ふくら雀、文庫結び等、多様な帯結びを楽に自分で結ぶことができ、着付けの時間も労力も短縮することができる。また、帯結び用補助ベルトは伊達締めの代わりにもなり、伸縮性を持っているので飾り部をしっかりと固定できて圧迫感がない。補助ベルトは面ファスナーにより長さ調整が可能であるため着物を着用する人の体形に左右されることなく使用できる。
【発明を実施するための最良の形態】
【００１５】
以下、本発明の実施形態について図面に基づき詳細に説明するが、本発明はこれらの実施形態になんら限定されるものではなく、要旨を逸脱しない範囲で適宜変更して実施が可能なものである。図１は、本発明の請求項１の実施形態を示す帯結び用補助ベルト(以下補助ベルトという)の正面図である。図１において、１は補助ベルトであり身体の胴部を巻着できる長さで、伸縮性を有し全体形状が略細巾帯形の紐体２に形成され、該紐体２における長辺方向の両端近傍に一対の面ファスナー９を、一方は表面側に他方は裏面側に取り付けることで、着物を着用する人の体形に応じて係止位置の調節を可能としている。なお、この補助ベルト１は伊達締めの役目もしている。また、補助ベルト１を構成する紐体２の中央近傍には、帯結びを形成して帯を固定するための保持部３が設けられている。
【００１６】
図２は、本発明の請求項２の実施形態を示す補助ベルトの保持部の背面図である。図２において、補助ベルトを構成する紐体２の中央近傍に保持部３が設けられており、該保持部３は保持片４，５、６から構成されている。保持片４は紐体２よりも巾広の長方形に形成されており、長辺方向の上縁面と紐体２の上縁面を一致させた状態で、紐体２に内包されている。保持片５は，長辺方向は保持片４と略同一長さで、短辺方向は保持片４よりも細巾の長方形に形成されており、短辺方向の任意の端部（図２では左側）は保持片４の端部に開閉自在に縫着されている。また、保持片５の自由端（図２では右側）の近傍には２個の固定穴１１が設けられている。保持片６は、保持片５の長辺方向の略中央部に設けられており、長辺方向は保持片５の略１／３程度の長さで、短辺方向は保持片５よりも細巾の長方形に形成されており、短辺方向の任意の端部（図２では左側）は保持片５に開閉自在に縫着されている。また、保持片６の自由端（図２では右側）の近傍には固定穴１２が設けられている。なお、図示していないが、保持片４の長辺方向の上縁面と紐体２の上縁面を、紐体２よりもちょっと突き出した状態で内包してもよい。また、保持片５の短辺方向の一端を縫着し開閉できるようになっているが、これを両辺とも固定穴を設けて取り外せるようにしてもよい。また、保持片６を取り付けるのを止めて、保持片５の中央部近傍に紐又はゴム条体を縫着して、帯を結んで止めるようにしてもよく、保持片５の中央部近傍に固定穴を設けて、該固定穴に紐又はゴム条体を取り付けて、帯を結んで止めるようにしてもよい。
【００１７】
図３は、本発明の請求項３の実施形態を示す補助ベルトの保持部の背面図である。図３において、補助ベルトを構成する紐体２の中央近傍に保持部３が設けられており、該保持部３は保持片４，５、６から構成されている。保持片４は紐体２よりも巾広の長方形に形成されており、長辺方向の上縁面と紐体２の上縁面を一致させた状態で紐体２に内包されている。保持片５は，長辺方向は保持片４と略同長で、短辺方向は保持片４よりも細巾の長方形に形成されており、短辺方向の任意の端部（図３では左側）は保持片４の端部に開閉自在に縫着されている。また、保持片５の自由端（図３では右側）の近傍には２個の固定穴１１が設けられている。また、保持片５の上縁近傍には、ふくら雀や文庫結びを結ぶときに、折り畳んだ羽根が拡がらないようにするための係止手段が設けられている。本実施形態では先端がＵ字のフック１３を２個取り付けている。なお、図示していないが、保持片４の長辺方向の上縁面と紐体２の上縁面を、紐体２よりもちょっと突き出した状態で内包してもよい。また、保持片５の短辺方向の一端を縫着し開閉できるようになっているが、これを両辺とも固定穴を設けて紐体２より取り外せるようにしてもよい。また、保持片５の上縁に固定穴を開け、Ｓ字フックで引掛けるようにしてもよい。これは、ふくら雀や文庫結びなど羽根のある帯結びするとき、折り畳んだ羽根が広がらないようにゴムか紐で結ぶためのものであるが、この羽根がぐらつかないようにするために、羽根を結ぶゴムをフックに引掛けるか固定穴に通して結ぶものである。
【００１８】
保持片６は、保持片５の長手方向の略中央部に設けられており、長辺方向は保持片５の略１／３程度の長さで、短辺方向は保持片５よりも細巾の長方形に形成されており、短辺方向の任意の端部（図３では左側）は保持片５に開閉自在に縫着されている。また、保持片６の自由端（図３では右側）の近傍には固定穴１２が設けられている。なお、図示していないが、保持片６を取り付けるのを止めて、保持片５の中央部近傍に紐又はゴム条体を縫着して、帯を結んで止めるようにしてもよく、固定片５の中央部近傍に固定穴を設けて、該固定穴に紐又はゴム条体を取り付けて帯を結んで止めるようにしてもよい。
【００１９】
図１０は、本発明の請求項４の実施形態を示す補助ベルト１ａの正面図である。図１０において、紐体２に内包された保持片３ａの中央近傍に長辺方向に沿って少なくとも半分に折り畳んだ半巾帯を挿入可能な巾を有する開口部１０が設けられている。これは浴衣などを着付けたときに結ぶ半巾帯の手先を補助ベルト１ａの開口部１０に挿入して保持しておくことで両手が使え楽に帯結びができるものである。
【００２０】
本発明による補助ベルトの使用方法について図面に基づいて説明する。図４から図９は扇太鼓の結び方の説明図である。帯結びは平坦な場所（例えば、畳の上、机の上など）で行なうと作業が容易である。まず、補助ベルトの保持片４と保持片５を同一面上に開いて平坦な場所に置く。そして、手先より胴のふた回り分＋６０ｃｍ近傍にクリップ等で目印を付けておき、図４に示すように帯のたれ先１４を帯の表を上に向けて置き、たれ先１４から約２０ｃｍの部分で扇２１を作り、この扇２１の要部分を保持片５と保持片６の間に挟んで図２に示す紐８を固定穴１２に通して固定する。次に、帯の手先１５を保持片５に被せるようにして折り上げた後、紐体２を被せ紐７を固定穴１１に通して帯を固定し、図５に示すように該紐体２の上に手先１５を折り下げて、手先１５より前記目印を付けておいたクリップの位置までを、帯の巾を半分に折り畳み、図６に示すように三角２２に折り、該紐体２の上におき太鼓部１６を形成する。このとき図５に示すように紐体２の上縁１７に帯を折りこんで挟んでおくと、段差ができて帯枕２３のずれを防止することができる。次に、帯枕２３、帯揚げ２４を当てがい太鼓部１６を帯枕２３の上に被せると、図７のようになる。補助ベルト１と太鼓部１６を同時に持ち上げて背中にあてがう。補助ベルト１の両端に設けた面ファスナー９を用いて胸元で固定し、帯枕２３の紐と帯揚げ２４を胸元で仮結びしておく。次に、図８に示すように手先１５を胴体に巻き付けて、帯止めで固定する。次に、太鼓部でお太鼓を作り、手先１５をお太鼓１６の中へくぐらせて帯締めを締めると図９に示すように扇太鼓が出来あがる。
【００２１】
図１０から図１４は、浴衣などを着付けたときの半巾帯で結ぶ文庫帯の結び方の説明図である。図１１に示すように補助ベルトの保持部３ａに設けられた開口部１０に半分に折った手先１９を４５〜５０ｃｍ挿入しておく。着物を着付けた後に図１２に示すように開口部１０が体の前にくるようにして補助ベルトを保持する。このようにすると手先１９が補助ベルトに保持されているので両手で帯を締めながら、且つ帯を整えながら胴にふた巻きし、手先で結ぶ（図１３参照）。文庫の羽根の大きさを決め、余分は内側に折り込み羽根の中心でひだを寄せて手先で包み羽根２５を形成する。帯をスライドさせて文庫結びを背中心に移動すれば出来あがる。
本発明は全通柄の帯に適しており、現在使用されている六通柄では帯の結び方が従来の結び方とは異なるため、身体の前部に柄が出てこない。しかし、現在では色々な飾りがあるため、それらを利用することも可能であり、また、新たに帯の柄付けをすることで六通柄
の帯を結ぶことも可能となる。
【図面の簡単な説明】
【００２２】
【図１】本発明の請求項１の実施形態を示す帯結び用補助ベルトの正面図である。
【図２】本発明の請求項２の実施形態を示す補助ベルトの保持部の背面図である。
【図３】本発明の請求項３の実施形態を示す補助ベルトの保持部の背面図である。
【図４】扇太鼓の結び方の説明図である。
【図５】扇太鼓の結び方の説明図である。
【図６】扇太鼓の結び方の説明図である。
【図７】扇太鼓の結び方の説明図である。
【図８】扇太鼓の結び方の説明図である。
【図９】扇太鼓の結び方の説明図である。
【図１０】本発明の請求項４の実施形態を示す帯結び用補助ベルトの正面図である。
【図１１】半巾帯を用いて結ぶ文庫結びの結び方の説明図である。
【図１２】半巾帯を用いて結ぶ文庫結びの結び方の説明図である。
【図１３】半巾帯を用いて結ぶ文庫結びの結び方の説明図である。
【図１４】半巾帯を用いて結ぶ文庫結びの結び方の説明図である。
【符号の説明】
【００２３】
１，１ａ  帯結び用補助ベルト
２  紐体
３，３a  保持部
４、５、６  保持片
７、８  紐
９  面ファスナー
１０  開口部
１１，１２  固定穴
１３  フック
１４    たれ先
１５、１９  手先
１６  太鼓部
１７  上縁
２１  扇
２２  三角
２３  帯枕
２４  帯上げ
２５  羽根
【図１】
2006214049.tif 000003
【図２】
2006214049.tif 000004
【図３】
2006214049.tif 000005
【図４】
2006214049.tif 000006
【図５】
2006214049.tif 000007
【図６】
2006214049.tif 000008
【図７】
2006214049.tif 000009
【図８】
2006214049.tif 000010
【図９】
2006214049.tif 000011
【図１０】
2006214049.tif 000012
【図１１】
2006214049.tif 000013
【図１２】
2006214049.tif 000014
【図１３】
2006214049.tif 000015
【図１４】
2006214049.tif 000016